(57)【特許請求の範囲】
【請求項１】
基礎床面上に規則的に立設配置された支持脚にわたって床パネルを敷設して構成されるフリーアクセスフロアの床下空間を上記支持脚と支持脚の間に仕切り板を設置することにより仕切る構造であって、上記仕切り板の上部を前記支持脚のパネル載置用台座に固着せしめ、上記仕切り板の下部を前記基礎床面又は前記支持脚のベースプレート上に固定設置したＬ型アングル材に固着せしめてなる事を特徴とするフリーアクセスフロアにおける床下の間仕切り構造。
【請求項２】
前記Ｌ型アングル材に板支持具を高さ調節可能に取付け、該板支持具に前記仕切り板の下部を固着せしめてなる事を特徴とする請求項１記載のフリーアクセスフロアにおける床下の間仕切り構造
【発明の詳細な説明】
【０００１】
【発明の属する技術分野】
本発明は、基礎床面上に規則的に立設配置された支持脚にわたって床パネルを架橋状に敷設して構成されるフリーアクセスフロアの床下空間を、上記支持脚と支持脚の間に仕切り板を設置することにより間仕切るようにしたフリーアクセスフロアにおける床下空間の間仕切り構造に関するものである。
【０００２】
【従来の技術】
従来から、フリーアクセスフロアの床下空間（の全体）を空調用のエアーチャンバーとして利用する技術思想はあったが、フリーアクセスフロアの床下空間を仕切り板で仕切って何がしに利用しようとする技術思想はなかった。
【０００３】
【発明が解決しようとする課題】
本発明はこのような従来の現状に鑑みてなされたものであり、フリーアクセスフロアの床下空間を仕切り板で簡便に且つある程度の気密性をもって仕切ることが出来、空調用のエアーチャンバーやエアーダクトとしてまた床下収納庫としても利用することが可能なフリーアクセスフロアにおける床下空間の間仕切り構造を提供せんとするものである。
【０００４】
【課題を解決するための手段】
斯かる目的を達成する本発明のフリーアクセスフロアにおける床下空間の間仕切り構造は、基礎床面上に規則的に立設配置された支持脚にわたって床パネルを敷設して構成されるフリーアクセスフロアの床下空間を上記支持脚と支持脚の間に仕切り板を設置することにより仕切る構造であって、上記仕切り板の上部を前記支持脚のパネル載置用台座に固着せしめ、上記仕切り板の下部を前記基礎床面又は前記支持脚のベースプレート上に固定設置したＬ型アングル材に固着せしめてなる事を特徴としたものである。
この時、前記Ｌ型アングル材に板支持具を高さ調節可能に取付け、該板支持具に前記仕切り板の下部を固着せしめるようにすることが好ましい。
【０００５】
【発明の実施の形態】
以下、本発明の具体的な実施例を図面に基づいて詳細に説明するが、本発明は図示した実施例に限定されるものではない。
図中、１は基礎床面２上に規則的に立設配置された支持脚、３は隣接する支持脚１と支持脚１の間にわたって架橋状に敷設された床パネル、４は隣接する支持脚１と支持脚１の間に設置された仕切り板をそれぞれ示し、基礎床面２と床パネル３の下面との間に床下空間５が形成される。
【０００６】
支持脚１は、基礎床面２上に接着固定されるベースプレート１ａと、そのベースプレート１ａ上に鉛直状に起立設置される脚支柱１ｂと、脚支柱１ｂの上端部に上下動可能に設置されて床パネル３の四隅コーナー部分を載承固着させるパネル載置用台座１ｃと、脚支柱１ｂの外周面に形成した雄螺子１ｄに螺合させてパネル載置用台座１ｃを支承する高さ調節ナット１ｅとでもって構成され、高さ調節ナット１ｅを螺動操作することにより、パネル載置用台座１ｃの高さすなわち支持脚１の高さを調整できるようになっている。
【０００７】
仕切り板４は、ステンレスやアルミニウム等の薄い金属板又は合成樹脂板などを用いて、例えば、隣接する支持脚１と支持脚１の間の距離とほぼ同じ横幅を有し床パネル３の下面から基礎床面２までの距離より少し短い縦幅を有する矩形形状に形成し、その上部（上辺）４ａを支持脚１のパネル載置用台座１ｃ、詳しくはパネル載置用台座１ｃの四周に突出形成した板取付部１ｆにビス７でもって固着せしめ、下部（下辺）４ｂを基礎床面２上又は支持脚１のベースプレート１ａ上に接着剤等で固定して設置したＬ型アングル材８にビス等で固着せしめる。
尚、図中４ｃは仕切り板４同士を連結させるための止ビスを示す。
【０００８】
ここで、仕切り板４の下部（下辺）４ｂをＬ型アングル材８に固着する場合、ビス等でＬ型アングル材８に直接固着しても良いが、仕様の変更などにともなう支持脚１の高さの違いや基礎床面２の不陸などに対応し得るように、Ｌ型アングル材８に板支持具９を高さ調節可能に取付け、その板支持具９に仕切り板４の下部（下辺）４ｂを固着させることが好ましい。
【０００９】
板支持具９の構造としては種々考えられるが、図示実施例のものは、ステンレス等の薄い金属板を用いて、Ｌ型アングル材８の垂直部８ａを上方から跨いで挟持する挟持部９ａと、仕切り板４の下端を下方から載承挟持する載承部９ｂとを一連同一体に形成すると共に、上記挟持部９ａに締結用ビス９ｃを取付けて構成し、挟持部９ａをＬ型アングル材８の垂直部８ａに上下移動自在に係合させ締結用ビス９ｃで締着させることにより、この板支持具９をＬ型アングル材８に高さ調節可能に取付けたものである。
【００１０】
尚、仕切り板４で仕切られた空間の気密性が特に要求される場合には、図示実施例のごとく、仕切り板４の上端と床パネル３の下面との間や仕切り板４の下端と板支持具９の載承部９ｂとの間に柔軟弾性を有するシール材１０を介在設置したり、Ｌ型アングル材８及び支持脚１のベースプレート１ａを仕切り板４の横幅と同じかそれより長い長尺に形成する。
【００１１】
而して、フリーアクセスフロアの床下空間５に仕切り板４を設置する場合には、支持脚１の高さを調節した後、仕切り板４の上部（上辺）４ａを支持脚１のパネル載置用台座１ｃに突出形成した板取付部１ｆにビス７で固着せしめて仕切り板４を宙吊り状に垂下させ、次にＬ型アングル材８に高さ調節自在に取付けた板支持具９を上下方向に動かして仕切り板４の下部（下辺）を板支持具９の載承部９ｂ内に載承挟持させ、その状態で板支持具９の挟持部９ａをＬ型アングル材８の垂直部８ａに締結用ビス９ｃで締着させて板支持具９をＬ型アングル材８に固着せしめる。
そして最後に、支持脚１にわたって床パネル３を架設し、各床パネル３を支持脚１のパネル載置用台座１ｃに螺子１１で固定する。
【００１２】
【発明の効果】
本発明のフリーアクセスフロアにおける床下空間の間仕切り構造によれば、仕切り板の上部を支持脚のパネル載置用台座に固着せしめ、仕切り板の下部を基礎床面又は支持脚のベースプレート上に固定設置したＬ型アングル材に固着せしめたので、フリーアクセスフロアの床下空間を仕切り板で簡便に且つある程度の気密性をもって仕切ることが出来る。従って、フリーアクセスフロアの床下空間を空調用のエアーチャンバーやエアーダクトとしてまた床下収納庫としても利用することが可能となる。
【００１３】
しかも、本発明の請求項２に記載したフリーアクセスフロアにおける床下空間の間仕切り構造によれば、Ｌ型アングル材に板支持具を高さ調節可能に取付け、該板支持具に仕切り板の下部を固着せしめるようにしたので、基礎床面が多少不陸であってもそれを吸収して仕切り板の下部（下辺）を確実且つ適切に固定することが出来る。
【図面の簡単な説明】
【図１】  本発明実施の一例を示す一部切欠斜視図。
【図２】  図１の（Ｘ）−（Ｘ）線に沿う断面図。
【符号の説明】
１：支持脚                    １ｃ：パネル載置用台座
２：基礎床面                    ３：床パネル
４：仕切り板                    ５：床下空間
７：ビス                        ８：Ｌ型アングル材
９：板支持具                  １０：シール材
【図１】
0003914315.tif 000002
【図２】
0003914315.tif 000003